(57)【要約】【課題】  原価や工賃が嵩まない簡単な構造を以って、広範囲な扉の開閉を可能とし、扉の他の部材に対する干渉をも回避し得る丁番の提供。【解決手段】  相連結する扉Ｄ又は扉枠Ｆの端面凹部に各々固定される一対の旗部材１，２を一本のピンＰで開閉自在に連結してなる丁番において、各旗部材１，２の前記定着部及び軸承部、又は前記定着部、軸承部、及び迂回部は、曲げ成形が施された一連の板金として連続し、前記軸承部又は迂回部に、他方の旗部材１，２における迂回部又は軸承部の一方向への相対的な旋回を規制する正転ストッパ、及び当該他方の旗部材における迂回部又は軸承部の他方向への相対的な旋回を規制する逆転ストッパを備える丁番。【選択図】      図１
2014040745.tif 000002
【特許請求の範囲】
【請求項１】
相連結する扉又は扉枠の端面凹部に各々固定される一対の旗部材を一本のピンで開閉自在に連結してなる丁番において、
各旗部材は、相連結する扉又は扉枠の端面凹部に各々固定される定着部、及び前記ピンが嵌る軸承部を備え、
一方の旗部材の定着部と軸承部との間に迂回部を備え、
各旗部材の前記定着部及び軸承部、又は前記定着部、軸承部、及び迂回部は、曲げ成形が施された一連の板金として連続し、
前記軸承部又は迂回部に、他方の旗部材における迂回部又は軸承部の一方向への相対的な旋回を規制する正転ストッパ、及び当該他方の旗部材における迂回部又は軸承部の他方向への相対的な旋回を規制する逆転ストッパを備えることを特徴とする丁番。
【請求項２】
前記迂回部に、他方の旗部材における軸承部の基部又は先部のうちの一方の旋回を規制する正転ストッパと、当該他方の旗部材における軸承部の基部又は先部のうちの他方の旋回を規制する逆転ストッパを備えることを特徴とする前記請求項１に記載の丁番。
【請求項３】
前記迂回部を備える旗部材は、平板状の定着部と、当該定着部の一側辺から屈出しＬ字状に反転する迂回部と、当該迂回部の先端部上位を分割平伏させてなる軸承部を備えることを特徴とする前記請求項１又は請求項２のいずれかに記載の丁番。
【請求項４】
前記一対の旗部材は、前記迂回部の先端部上位を分割平伏させてなる軸承部の上に、他方の旗部材の軸承部を重ね、上位の軸承部と螺合したピンで連結することを特徴とする前記請求項３に記載の丁番。
【請求項５】
前記正転ストッパ及び逆転ストッパは、前記迂回部における先端部上位の分割起立部であることを特徴とする前記請求項３乃至請求項４のいずれかに記載の丁番。
【発明の詳細な説明】
【技術分野】
【０００１】
本発明は、躯体開口部に扉を開閉自在に支持する丁番であって、特にその存在を隠す構造が与えられた隠し丁番に関する。
【背景技術】
【０００２】
従来、間口において扉を支持する丁番は、扉の表面や間口に露出したものが多いが、中には、扉の端面に埋め込まれる等して露出を制限する構造を具備するものも紹介されている。
下記特許文献はその一部であるが、一軸タイプのもの（例えば、下記特許文献1及び特許文献２参照。）や二軸タイプのもの（例えば、下記特許文献３乃至特許文献６参照。）、更には、より複雑な構造を持ったものも存在する。
【先行技術文献】
【特許文献】
【０００３】
【特許文献１】特開２００５−２９９２５３号公報
【特許文献２】実開平０６−００４２９２号公報
【特許文献３】特開昭６２−２３６９８６号公報
【特許文献４】特開２００６−０２８９８９号公報
【特許文献５】特開２００６−０８３６２８号公報
【特許文献６】特開２００７−２１１５７７号公報
【発明の概要】
【発明が解決しようとする課題】
【０００４】
しかしながら、前記一軸タイプ又は二軸タイプのいずれにあっても、扉が最大限開放した際において、扉が相連結する他の部材と干渉し損傷を被る場合が問題となる。
その様な問題を解消すべく、戸当たり付きのもの（例えば、特許文献２参照。）、ストッパをつけたものも存在するが（例えば、特許文献７参照。）、特別な部材が必要となり、又は構造が複雑となる結果、原価や工賃が嵩むという問題がある。特に、二軸タイプの丁番（例えば、下記特許文献３又は特許文献６参照。）では、扉の軌道が不安定となり却って開閉及び他部材との干渉回避の便が悪くなる場合もある。
【０００５】
本発明は上記実情に鑑みて成されたものであって、原価や工賃が嵩まない簡単な構造を以って、広範囲な扉の開閉を可能とし、扉の他の部材に対する干渉をも回避し得る丁番の提供を目的とする。
【課題を解決するための手段】
【０００６】
上記課題を解決する為になされた本発明による丁番は、相連結する扉又は扉枠の端面凹部に各々固定される一対の旗部材を一本のピンで開閉自在に連結してなる丁番である。
各旗部材は、相連結する扉又は扉枠の端面凹部に各々固定される定着部、及び前記ピンが嵌る軸承部を備え、一方の旗部材の定着部と軸承部との間に迂回部を備える。
【０００７】
前記迂回部は、軸承部と定着部とを結ぶ連結部分であって、一対の旗部材が相連結する扉又は扉枠の端面凹部に固定した状態で、いずれかの旗部材を相対的に旋回させた際、前記連結部分が扉や扉枠の表板又は裏板との接触を回避する軌道を採る様に、Ｌ字状に湾曲又は屈曲した態様に成形した部分である。
【０００８】
各旗部材の前記定着部及び軸承部は、曲げ成形が施された一連の板金として連続する一方、迂回部を備える旗部材にあっては、前記定着部、軸承部、及び迂回部は、曲げ成形が施された一連の板金として連続し、一対の旗部材の各々が単一部材として構成される。
また、各旗部材は、前記軸承部又は迂回部に、他方の旗部材における迂回部又は軸承部の一方向への相対的な旋回を規制する正転ストッパ、及び当該他方の旗部材における迂回部又は軸承部の他方向への相対的な旋回を規制する逆転ストッパを備える。
【０００９】
具体的には、前記迂回部に、他方の旗部材における軸承部の基部又は先部のうちの一方の旋回を規制する正転ストッパと、当該他方の旗部材における軸承部の基部又は先部のうちの他方の旋回を規制する逆転ストッパを備える隠し丁番としても良い。
【００１０】
また、前記迂回部を備える旗部材は、平板状の定着部と、当該定着部の一側辺から屈出しＬ字状に反転する迂回部と、当該迂回部の先端部上位を分割平伏させてなる軸承部を備える丁番としても良く、更に、前記一対の旗部材は、前記迂回部の先端部上位を分割平伏させてなる軸承部の上に、他方の旗部材の軸承部を重ね、上位の軸承部と螺合したピンで連結する隠し丁番としても良い。
【００１１】
前記正転ストッパ及び逆転ストッパは、前記迂回部における先端部上位の分割起立部であっても良い。ここで分割起立部とは、前記迂回部の先端上位を分割平伏させた後に、それによって切欠かれた領域の側方において起立状態を維持している残余の部分を指す。
【発明の効果】
【００１２】
本発明による隠し丁番によれば、相連結する扉又は扉枠の端面凹部に各々固定し得る構造を以って、丁番を扉又は扉枠の表面に露出しない様にすることができ、一対の旗部材を一本のピンで開閉自在に連結する構成によって、旗部材自体の構造及び軌道を簡単にすることができる。いずれか一方の旗部材の定着部と軸承部との間に迂回部を備えることによって、上記簡単な構成でありながらも、相開閉する扉又は扉枠間の接触を確実に回避することができる。
【００１３】
更に、各旗部材の前記定着部及び軸承部、又は前記定着部、軸承部、及び迂回部は、曲げ成形が施された一連の板金として連続した構成を採用することによって、部品点数の抑制及び工程の簡素化が可能となる。
【００１４】
前記軸承部又は迂回部に、他方の旗部材における迂回部又は軸承部の一方向への相対的な旋回を規制する正転ストッパ、及び当該他方の旗部材における迂回部又は軸承部の他方向への相対的な旋回を規制する逆転ストッパを備えれば、旗部材を固定した扉又は扉枠の開閉限界点における相互の接触及びそれに伴う損傷を回避することができる。
また、前記迂回部に、他方の旗部材における軸承部の基部又は先部のうちの一方の旋回を規制する正転ストッパと、当該他方の旗部材における軸承部の基部又は先部のうちの他方の旋回を規制する逆転ストッパを備える構成とすれば、更なる、部品点数の抑制及び工程の簡素化が可能となる。
【００１５】
前記迂回部を備える旗部材は、平板状の定着部と、当該定着部の一側辺から屈出しＬ字状に反転する迂回部と、当該迂回部の先端部上位を分割平伏させてなる軸承部を備える構成によって、一対の旗部材を連結するピンをボール盤等で穿設した孔で支持することができ、ピンの支持精度や支持強度を高めることが出来る他、孔の内壁加工も容易となる。
【００１６】
前記迂回部の先端部上位を分割平伏させてなる軸承部の上に、他方の旗部材の軸承部を重ね、上位の軸承部と螺合したピンで連結する構成を採ることによって、ピンを螺合した旗部材と一体化させ、ピンの支持精度及び支持強度の向上、並びに施工の便宜の向上を図ることができる。
【００１７】
また、上記構成において、前記迂回部における先端部上位の分割起立部を前記正転ストッパ及び逆転ストッパとすれば、この構造は、一層簡素で実効性を持つものとなる。
【図面の簡単な説明】
【００１８】
【図１】本発明による隠し丁番の一例を示す斜視図である。
【図２】本発明による隠し丁番の（Ａ）：１１５°開放時、（Ｂ）：９０°開放時、（Ｃ）：閉鎖時における実施態様例を示す平面図である。
【図３】本発明による隠し丁番において旗部材を構成する板金の成形過程の一例を示す工程図である。
【図４】本発明による隠し丁番において旗部材を構成する板金の成形過程の一例を示す工程図である。
【発明を実施するための形態】
【００１９】
以下、本発明による隠し丁番の実施の形態を図面に基づき詳細に説明する。
相連結する扉Ｄと扉枠Ｆの端面凹部Ｓ１，Ｓ２に各々固定される一対の旗部材１，２を、一本のピンＰで開閉自在に連結する丁番である。
当該例の扉Ｄ及び扉枠Ｆは、各々の表板Ｄｆ，Ｆｆ及び裏板Ｄｂ，Ｆｂが、扉Ｄ及び扉枠Ｆの側方端面から表裏等量ずつ突出させてあり、当該表裏突出部ａ，ｂと端面ｃとで、旗部材１，２を支持固定するための凹部Ｓ１，Ｓ２を構成する。
【００２０】
当該一対の旗部材１，２は、それぞれ凹部Ｓ１，Ｓ２の最深部たる端面ｃに固定される定着部３，４と、一対の旗部材１，２を連結する前記ピンＰが嵌る軸承部５，６を備え、当該例においては、扉枠Ｆに固定される旗部材２の定着部４と軸承部６との間に迂回部７を備える。
【００２１】
具体的には、扉Ｄに固定される旗部材（以下、第一旗部材と記す。）１の定着部３及び軸承部５は、曲げ成形が施された一連の板金として連続し（図４参照）、扉枠Ｆに固定される旗部材（以下、第二旗部材と記す。）２の定着部４、軸承部６、及び迂回部７は、曲げ成形が施された一連の板金として連続する（図３参照）。
【００２２】
当該例において扉Ｄに固定される旗部材１の板金は、平板状の定着部３と、当該定着部３の上縁開き方向の端部から上向きに延出する軸承部５を備える（図４（Ａ）参照）。前記軸承部５を定着部３の表方向へ直角に曲げて平伏させ、定着部３には座繰りを施したビス孔８を複数穿設し、軸承部５には一対の旗部材１，２を連結するピンＰを螺合するためのネジ孔９を穿設する（図４（Ｂ）参照）。
【００２３】
扉枠Ｆに固定される旗部材２の板金は、平板状の定着部４の一側辺から直角に屈曲させ、更に直角に定着部４の幅と等しい量だけ反転させる曲げ成形を行うことによって、定着部４に連続したＬ字状の迂回部７を成形し（図３（Ｃ）（Ｄ）参照）、当該迂回部７の先端部上位に切り込み１０を入れて分割平伏させて軸承部６を成形する（図３（Ｂ）参照）。定着部４には座繰りを施したビス孔１１を複数穿設し、軸承部６には一対の旗部材１，２を連結するピンＰを回転自在に挿通するための軸孔１２を穿設する。尚、軸承部６と迂回部７の曲げ成形はいずれを先に行っても良い。
【００２４】
この丁番は、扉Ｄ又は扉枠Ｆの凹部Ｓ１，Ｓ２の内部で双方のネジ孔９と軸孔１２が向き合い、そこへ通されたピンＰを開閉軸として扉Ｄと扉枠Ｆの相対的な開閉を行わせ、少なくとも閉鎖時においては、一対の旗部材１，２の大部分が扉Ｄの凹部Ｓ１又は扉枠Ｆの凹部Ｓ２に埋没し隠れることとなる。
開閉角度は、前記迂回部７の迂回量と、開閉軸から迂回部７及び定着部４までの最短距離に依存する。
【００２５】
前記迂回部７の定着部４表面からの突出量は、扉Ｄの凹部Ｓ１の深さからその凹部Ｓ1に固定される定着部３の厚さを差し引いた量を超える量を基準とする。当該基準の量を採用すれば、当該超えた量が、閉鎖時における扉Ｄと扉枠Ｆとの間のクリアランスとなり、当該量を、丁番が容易に見えない最低限のクリアランス（例えば、５ｍｍ未満）に設定するだけで、扉Ｄと扉枠Ｆとが接触しない良好な開閉を実現できる。
また、当該迂回部７の反転量は、扉Ｄの凹部Ｓ1の深さからその凹部Ｓ1に固定される定着部３の厚さを差し引き、更に、定着部３の表面からネジ孔９の中心に至る長さを差し引いた量を超える量が基準とする。当該基準の量を採用すれば、開放限界において、扉Ｄの表裏いずれかの板Ｄｆ，Ｄｂと迂回部７との接触が回避できることとなる。
【００２６】
上記のとおり迂回部７の形態や寸法を決めれば、扉枠Ｆの凹部Ｓ２は、当該扉枠Ｆに固定される旗部材２の定着部４の全体が埋没する深さがあれば足り、その深さはより少ないことが望ましい。扉Ｄの凹部Ｓ２の深さは、前記迂回部７の突出長及び反転量から逆算すれば良い。
【００２７】
即ち、扉Ｄの凹部Ｓ１の深さは、迂回部７の突出量にその凹部Ｓ１に固定される定着部３の厚さを加えた量、又は迂回部７の反転量に、定着部３の表面からネジ孔９の中心に至る長さ及び定着部３の厚みを加えた量の、いずれか少ない量が基準となる。
【００２８】
当該例では、前記迂回部７における先端部上位の分割起立部７ａの側面（分割平伏部分（軸承部６）との分断面）を、扉Ｄの凹部Ｓ１に固定した旗部材１における軸承部５の基部５ａの旋回を規制する正転ストッパとし、前記迂回部７における先端部上位の分割起立部７ａの先部裏面を、扉Ｄの凹部Ｓ１に固定した旗部材１における軸承部５の先部５ｂの旋回を規制する逆転ストッパとする。
【００２９】
当該丁番は、前記第一旗部材１を扉Ｄの凹部Ｓ１内における端面ｃにビス止めし、前記第二旗部材２を、扉枠Ｆの凹部Ｓ２内における端面ｃに、前記第一旗部材１の固定位置に高さを合わせてビス止めし、前記第二旗部材２の軸承部６の上に、前記第一旗部材１の軸承部５を重ね、上位にある前記第一旗部材１の軸承部５にピンＰの基部を螺合し、その結果、当該第一旗部材１の軸承部５の下位に突出した部分が前記第二旗部材２の軸孔１２に挿通することによって連結一体となり、扉枠Ｆに扉Ｄを開閉自在にガタツキなく支持する。
【００３０】
本発明による丁番は、以上の構造を有することから、二つの旗部材１，２とそれを繋ぐ一本のピンＰという少ない部材で実現でき、且つ各旗部材１，２は、板金の裁断・穴あけと、曲げ成形という簡単な工程で成形できるにも関わらず、隠し丁番として大きな開閉角度を実現し、扉Ｄの開閉の際にも、当該丁番の構造のみで、その周辺部材との接触を回避できるという極めて高い実用効果を奏する。
【符号の説明】
【００３１】
Ｄ  扉，Ｄｆ  表板（扉），Ｄｂ  裏板（扉）
Ｆ  扉枠，Ｆｆ  表板（扉枠），Ｆｂ  裏板（扉枠），
ａ  表突出部，ｂ  裏突出部，ｃ  端面，
Ｓ１  凹部（扉），Ｓ２  凹部（扉枠），
Ｐ  ピン，
１  旗部材，２  旗部材（迂回部付き），
３  定着部，４  定着部，
５  軸承部，５ａ  基部，５ｂ  先部，
６  軸承部，
７  迂回部，７ａ  分割起立部，
８  ビス孔，９  ネジ孔，１０  切り込み，
１１  ビス孔，１２  軸孔，
【図１】
2014040745.tif 000003
【図２】
2014040745.tif 000004
【図３】
2014040745.tif 000005
【図４】
2014040745.tif 000006